(57)【要約】本発明の回転スタンドは、テレビモニタや監視カメラ等の機材１を手動で回転させる時、ウォームギヤ８によって固定されるディスク４と機材（テレビモニタ１）に接合された支柱２との摺動によって回転を制御し、機材１をモータ９で回転させる時、ウォームギヤ８により回転駆動されるディスク４と回転機材１に接合された支柱２を同調して回転制御する機構を備える。
2005022024.tif 000002
【特許請求の範囲】
【請求項１】
機材を回転させる回転スタンドであって、
ベースと、当該ベースに回転自在に支持されるディスクと、前記ディスクの円周部に設けられたギヤと、前記ギヤに噛合し、電動機によって回転駆動されるウォームギヤとを備え、
前記機材を手動で回転させる時、前記ウォームギヤによって固定されるディスクと前記機材を支持する支持部材との摺動によって回転を制御し、前記機材を前記電動機で回転させる時、前記ウォームギヤにより回転駆動される前記ディスクと前記支持部材を同調して回転制御することを特徴とする回転スタンド。
【請求項２】
前記ディスクとギヤは一体形成されることを特徴とする請求項１に記載の回転スタンド。
【請求項３】
前記支持部材は前記機材に接合された支柱であり、
前記機材を手動回転させる際に前記ディスクとの摺動抵抗を少なくするブッシュを前記支柱に固定することを特徴とする請求項１または２に記載の回転スタンド。
【請求項４】
前記ディスクは、中心部が中空のドーナツ型のディスクであり、
前記ギヤは、前記ディスクの内周部に設けられ、
前記電動機及び前記ウォームギヤは、前記ディスクの中空部に設けられたことを特徴とする請求項１または２に記載の回転スタンド。
【請求項５】
前記ギヤとウォームギヤとの間に減速用のギヤを少なくとも１個噛合させることを特徴とする請求項１から４のいずれか１項に記載の回転スタンド。
【発明の詳細な説明】
【技術分野】  本発明は、テレビモニタや監視カメラ等の機材を電動もしくは手動で回転させる、回転スタンドに関する。
【背景技術】  回転の対象となるディスプレイや監視カメラが電動機により回転自在に支持される回転スタンドが知られている（日本国公開特許公報、特開平９−１８７４８号公報、特開平７−２０３３３５号公報、特開平１−７３８７６号公報参照）。
例えば、特開平７−２０３３３５号公報によれば、テレビモニタを備えるキャビネットがスタンドに回転自在に支持され、電動機の回転軸の回転駆動は、ギヤと、それに噛合するウォームホィールおよび大小のギヤから成るギヤユニットを介してベースに伝えられ、電動機の正逆回転によってキャビネットが左右に回転する。
【発明の開示】
上記した従来技術における回転スタンドは、いずれも電動駆動による回転であって、手動による回転は併用できない構造になっている。
ところで、上記した回転スタンドの実使用シーンにおいては、遠隔操作で任意の向きにテレビモニタを回転させるリモコンが見当たらない場合や、たまたま近くに居る人に手動で向きを変えてもらいたいことが多々ある。
そのような場合、上記した従来技術によれば出来なかったり、あるいは複雑なクラッチ機構や制御装置が必要となり、このため重量が増加し、また、部品点数が増えるため、コスト増、信頼性の低下を招く。
本発明は上記事情に鑑みてなされたものであり、簡単な構造で電動回転と手動回転を任意に併用可能な、回転スタンドを提供することを目的とする。
上記した課題を解決するために本発明は、機材を回転させる回転スタンドであって、ベースと、当該ベースに回転自在に支持されるディスクと、前記ディスクの円周部に設けられたギヤと、前記ギヤに噛合し、電動機によって回転駆動されるウォームギヤとを備え、前記機材を手動で回転させる時、前記ウォームギヤによって固定されるディスクと前記機材を支持する支持部材との摺動によって回転を制御し、前記機材を前記電動機で回転させる時、前記ウォームギヤにより回転駆動される前記ディスクと前記支持部材を同調して回転制御することを特徴とする。
本発明によれば、テレビモニタや監視カメラ等の機材を手動で回転させる時、ウォームギヤによって固定されるディスクと機材に接合された支持部材との摺動によって回転を制御し、機材を電動機で回転させる時、ウォームギヤにより回転駆動されるディスクと機材に接合された支持部材を同調して回転制御する機構を備えることにより、簡単な構造で電動駆動と手動駆動を併用することができる。また、部品点数が少なく済むため、信頼性の向上がはかれる。ギヤは、ディスクの円周部に嵌合もしくは締結されてよい。
また、本発明において、前記ディスクとギヤは一体形成されることを特徴とする。本発明によれば、一体形成されたディスクとギヤを介して電動時の作動状態と手動時の作動状態を切り分けることができ、簡単な構造で電動駆動と手動駆動を併用することができる。
また、本発明において、前記支持部材は前記機材に接合された支柱であり、前記機材を手動回転させる際に前記ディスクとの摺動抵抗を少なくするブッシュを前記支柱に固定することを特徴とする。
本発明によれば、機材を手動回転させる際に、ディスクとの摺動抵抗を少なくするためにブッシュを支柱に固定して用いることでスムーズな手動回転を実現でき、このことにより使い勝手の向上がはかれる。
また、本発明において、前記ディスクは、中心部が中空のドーナツ型のディスクであり、前記ギヤは、前記ディスクの内周部に設けられ、前記電動機及び前記ウォームギヤは、前記ディスクの中空部に設けられたことを特徴とする。本発明によれば、回転スタンドの各部品を、スペース効率良く配置できる。
また、本発明において、前記ギヤとウォームギヤとの間に減速用のギヤを少なくとも１個噛合させることを特徴とする。
本発明によれば、噛合させるギヤの大小あるいは個数により、電動機のトルク調整や回転速度の調整を行うことができる。
【図面の簡単な説明】  図１は、本発明の回転スタンドの第１の実施形態を説明するために引用した分解構成図である。
図２は、本発明の回転スタンドの第２の実施形態を説明するために引用した分解構成図である。
図３は、ウォームギヤ８、及びギヤ５、１１、１２の噛合状態を示す図である。
【発明を実施するための最良の形態】  図１は、本発明の回転スタンドの第１の実施形態を説明するために引用した分解構成図である。
図１において、１はテレビモニタ、２は支柱、３はブッシュ、４はディスク、５はギヤ、６はスラストベアリング、７はベース、８はウォームギヤ、９はモータ、１０はコントローラである。
本発明実施形態において、機材として設置される、例えばプラズマや液晶等で構成されるテレビモニタ１は、ハウジングに接合された支柱２を軸にベース７に対して回転自在に支持される。支柱２は、機材を支持する支持部材の一例である。
また、ブッシュ３は支柱２に固定され、手動回転の際にディスク４との摺動抵抗を小さくするために用いられる。
更に、ベース７上には回転自在に支持されるディスク４が搭載される。ディスク４は、その円周部にギヤ５が嵌合もしくは締結される２ピース構造となっている。なお、ディスク４とギヤ５は一体構造であってもよいが、２ピース構造とすることで、ディスク４に求められる強度とギヤ５の量産性を兼ね備えることが可能になる。
なお、ディスク４は、樹脂一体成形、鋳造品、多ピース化によるプレス品等により形成され、動力の逆伝達断絶の用途で使用されるため、要求されるコスト、重量、強度等の条件により、最適な工法が選択されることとする。また、ギヤ５は樹脂成形品で形成される。
一方、ベース７上に固定載置されるモータ９に直結されたウォームギヤ８は、ギヤ５に噛合し、モータ９によって回転駆動される。
ここでは、ギヤ５とウォームギヤ８の間には他のギヤが存在しない一段減速となっているが、ギヤ５とウォームギヤ８の間に大小多数のギヤが入るギヤユニットの形態をとってもよい。この場合、モータ９のトルク調整やテレビモニタ１の回転速度を調整できるため、部品点数は多少増加しても得られる効果は大きい。
なお、ディスク４とベース７の間には、樹脂または金属品で形成されるスラストベアリング６が介挿され、支柱２によって軸支される構造になっている。
ここで、テレビモニタ１の回転制御を電動と手動で併用する場合のメカニズムについて説明する。
テレビモニタ１を手動で回転させる場合は、ウォームギヤ８によって固定されるディスク４とテレビモニタ１に接合された支柱２との摺動によって回転が制御される。一方、テレビモニタ１をモータ９で回転させる場合は、ウォームギヤ８により回転駆動されるディスク４とテレビモニタ１に接合された支柱２が同調して回転制御される。
このようにしてモータ９による作動状態と手動時による作動状態を切り分けることで、電動回転と手動回転とを併用することが可能になる。
なお、テレビモニタ１をモータ９で回転させているとき、テレビモニタ１が何かに引っ掛かかり、あるいは、回転動作中、テレビモニタ１を手で押さえる等、何らかの障害により回転動作が強制的に停止された場合は、手動回転と同様に、ディスク４とベース７の間でスリップが発生することでモータの損傷を回避できる。また、テレビモニタ１が任意の位置から正面等規定の位置までワンアクションで戻れるように、ベース７にセンサを設置し、コントローラ１０でその動作を制御することも可能である。また、回転対象となる機材は、テレビモニタ１に制限されず、他に、監視カメラ等、多品種回転対象機材の回転スタンドとして機能することが可能である。
図２は、本発明の回転スタンドの第２の実施形態を説明するために引用した分解構成図である。以下に説明する点を除き、図２において、図１に示す構成と同一又は同様の機能を有する構成は、図１と同じ符号を付して、その説明を省略する。
図２において、１はテレビモニタ、２は支柱、４はディスク、５、１１，１２はギヤ、６はスラストベアリング、７はベース、８はウォームギヤ、９はモータ、１０はコントローラ、１３は中蓋、１４は外蓋、１５は支持部材である。
本実施形態において、支持部材１５は、支柱２及び外蓋１４により構成されている。そして、テレビモニタ１を手動で回転させる場合、ウォームギヤ８によって固定されるディスク４と支持部材１５との摺動によって回転を制御する。また、テレビモニタ１をモータ９で回転させる場合、ウォームギヤ８により回転駆動されるディスク４と支持部材１５を同調して回転制御する。そのため、本実施形態によれば、回転対象機材の電動回転と手動回転が併用でき、必要に応じて切替え使用することで使い勝手が向上する。
また、ディスク４は、中心部が中空のドーナツ型のディスクであり、ギヤ５は、ディスク４の内周部に設けられている。そして、モータ９及びウォームギヤ８は、ディスク４の中空部１６に設けられる。中空部１６は、ディスク４の中心部における中空部分である。
また、ギヤ１１、１２は、ギヤ５と、ウォームギヤ８との間に設けられており、ウォームギヤ８から受け取るモータ９の動力を、ギヤ５に伝達する。このように構成すれば、スペース効率よくモータ９、及びウォームギヤ８等を配置できる。
中蓋１３は、モータ８、ウォームギヤ９、ギヤ１１、１２を上方から覆うカバーである。中蓋１３は、例えば、ギヤ１１、１２の回転軸を回転自在に、上方から保持する。また、外蓋１４は、ディスク４とほぼ同じ直径を有しており、ディスク４のほぼ全体を上方から覆う。このように構成すれば、ディスク４の中空部に設けられるモータ９及びウォームギヤ８等を適切に保護できる。また、外蓋１４を含む支持部材１５の径が大きくなるため、テレビモニタ１を安定に支持できる。
図３は、第２の実施形態におけるウォームギヤ８、及びギヤ５、１１、１２の噛合状態を示す図である。
本実施形態において、ギヤ１１、１２は、減速用のギヤであり、それぞれ、大小２個の歯車を有する。ギヤ１１において、大きな歯車は、ウォームギヤ８と噛み合っており、ウォームギヤ８に従って回転する。ギヤ１１の小さな歯車は、大きな歯車と共に回転する。
また、ギヤ１２の大きな歯車は、ギヤ１１の小さな歯車と噛み合っており、ギヤ１１の小さな歯車に従って回転する。ギヤ１２の小さな歯車は、ギヤ５と噛み合っており、大きな歯車と共に回転することにより、ギヤ５に動力を伝達する。このように構成すれば、モータ９（図２参照）の動力を、ギヤ５に適切に伝達できる。また、ギヤ５が設けられているディスク６を、適切に回転駆動できる。
以上説明のように本発明によれば、回転対象機材の電動回転と手動回転が併用でき、必要に応じて切替え使用することで使い勝手が向上する。また、本発明は、簡単な構造で、少ない部品点数で実現できるため、軽量化、低廉化に貢献でき、万が一、故障した際の原因追及が容易であり、信頼性の向上にも寄与する。
更に、ディスクとギヤを２ピース構造とすることでディスクに求められる強度とギヤの量産性を兼ね備えることも可能になる。
【産業上の利用可能性】  本発明は、例えば、テレビモニタや監視カメラ等の機材を電動もしくは手動で回転させる、回転スタンドに好適に利用可能である。
【図１】
2005022024.tif 000003
【図２】
2005022024.tif 000004
【図３】
2005022024.tif 000005
【国際調査報告】
2005022024.tif 000006
2005022024.tif 000007
2005022024.tif 000008